(57)【要約】      （修正有）【課題】使用者が正しい解錠番号の操作ボタンを押し終えたとき、押し込まれた操作ボタンが元の状態に復帰可能な収納ボックスの施錠装置を提供する。【解決手段】前部ロータ７を駆動する操作ロータ８と、操作ロータ８を駆動する操作リング９と、操作ロータ８に係合され操作ロータ８を回転させることによって操作ロータ８との係合が解除可能なフック部と、押し込まれていない状態で、一方側に駆動される前部ロータ７の爪部が当接し、前部ロータ７が他方側に駆動されたとき前部ロータ７の爪部が乗り越え可能な弾性を有する凸部を備えた正のプッシュバー１１と、操作ロータ８に係合され操作ロータ８を回転させることによって操作ロータ８との係合が解除可能なフック部と、押し込まれた状態で、一方側に駆動される前部ロータ７の爪部が当接する凸部を備えた誤のプッシュバー１２とを備えている。【選択図】図３
2014114614.tif 000002
【特許請求の範囲】
【請求項１】
収納ボックスの扉に取り付けられるケーシングと、
ケーシングに回動可能に支持され収納ボックス本体の係止金具に一端部が係止される係止レバーと、
ケーシングの内部に回転可能に収容され解錠された状態で係止レバーの他端部が係合可能な被係合部を備えたロータと、
ロータの前部に回転可能に設置されロータを駆動する操作ロータと、
操作ロータの外周に回転可能に設置され操作ロータを駆動する操作リングと、
使用者が押し込んだとき操作ロータに係合可能な第１のフック部と、使用者が押し込んでいない状態で一方側に駆動されたロータの爪部が当接可能な第１の凸部とを備えた正のプッシュバーと、
使用者が押し込んだとき操作ロータに係合可能な第２のフック部と、使用者が押し込んだとき一方側に駆動されたロータの爪部が当接可能な第２の凸部とを備えた誤のプッシュバーとを備え、
操作ロータに係合している第１のフック部と第２のフック部とは操作ロータを回転させて係合を解除させることが可能であり、第１の凸部は弾性を有しており他方側に駆動されたロータの爪部は乗り越え可能であることを特徴とする収納ボックスの施錠装置。
【発明の詳細な説明】
【技術分野】
【０００１】
本発明は、集合住宅などに設置され戸別に郵便物を収納する収納ボックスの扉を施錠する施錠装置に関する。
【背景技術】
【０００２】
特許文献１に記載されている従来の施錠装置は、収納ボックスの扉に取り付けられ、１〜８の数字が各々表示された８つの操作ボタンを備えている。収納ボックスの扉を解錠する場合には、８つの操作ボタンのうち予め決められた４つの操作ボタンが押される。そうすると、収納ボックス本体の係止金具に係止された係止レバーが係止金具から離脱可能な状態となり、扉を開けることができる。使用者が扉を閉めてロックレバーを回すと、施錠装置は再び施錠される。
【先行技術文献】
【特許文献】
【０００３】
【特許文献１】特開２０１０−２７０５４０号公報
【発明の概要】
【発明が解決しようとする課題】
【０００４】
特許文献１に記載の施錠装置では、使用者が扉を解錠するために押し込んだ操作ボタンは、開けた扉を再び閉めてロックレバーを回すまで押し込まれたままの状態が保たれるので、解錠しているときに居合わせた人は簡単に解錠番号を知ることができる。扉が開かれた状態で使用者が収納ボックスから離れた場合には、解錠番号はなおさら知られやすくなる。
【０００５】
本発明の目的は、このような課題を解決するもので、使用者が扉を解錠するために間違った解錠番号を押すことなく正しい解錠番号を押し終えたとき、押し込まれた正しい解錠番号が元の押し込まれていない状態に復帰可能な収納ボックスの施錠装置を提供することである。
【課題を解決するための手段】
【０００６】
この課題を解決するために本発明は、収納ボックスの扉に取り付けられるケーシングと、ケーシングに回動可能に支持され収納ボックス本体の係止金具に一端部が係止される係止レバーと、ケーシングの内部に回転可能に収容され解錠された状態で係止レバーの他端部が係合可能な被係合部を備えたロータと、ロータの前部に回転可能に設置されロータを駆動する操作ロータと、操作ロータの外周に回転可能に設置され操作ロータを駆動する操作リングと、使用者が押し込んだとき操作ロータに係合可能な第１のフック部と、使用者が押し込んでいない状態で一方側に駆動されたロータの爪部が当接可能な第１の凸部とを備えた正のプッシュバーと、使用者が押し込んだとき操作ロータに係合可能な第２のフック部と、使用者が押し込んだとき一方側に駆動されたロータの爪部が当接可能な第２の凸部とを備えた誤のプッシュバーとを備え、操作ロータに係合している第１のフック部と第２のフック部とは操作ロータを回転させて係合を解除させることが可能であり、第１の凸部は弾性を有しており他方側に駆動されたロータの爪部は乗り越え可能であることを特徴とする。
【発明の効果】
【０００７】
請求項１記載の発明によれば、正のプッシュバーが押し込まれるとロータの爪部が正のプッシュバーの第１の凸部に当接しなくなり、誤のプッシュバーが押し込まれると押し込まれた誤のプッシュバーの第２の凸部にロータの爪部が当接するようになるので、使用者が扉を解錠するために間違った解錠番号（誤のプッシュバー）を押すことなくすべての正しい解錠番号（正のプッシュバー）を押し終えたとき、操作ロータに駆動されたロータは一方側に回転し、被係合部に係止レバーの他端部が係合して解錠可能な状態となる。このときロータを駆動する操作ロータは、ロータとともに一方側に回転し、正のプッシュバーの第１のフック部と操作ロータとの係合が解除され、押し込まれた正しい解錠番号である正のプッシュバーは元の押し込まれていない状態に復帰可能である。
【０００８】
使用者が収納ボックスの扉を閉めて、収納ボックス本体の係止金具に係止レバーの一端部が係止されると、係止レバーの他端部がロータの被係合部から抜け出る。この状態で操作リングを他方側に回転させて操作ロータとロータとを駆動すると、ロータの爪部が弾性を有している第１の凸部を乗り越え、施錠された元の状態に戻る。
【０００９】
使用者が扉を解錠するときすべての正のプッシュバーを押し終える前に間違って誤のプッシュバーを押した場合には、使用者は操作リングを他方側に回転させる。操作リングによって操作ロータが他方側に駆動されると、正のプッシュバーの第１のフック部あるいは誤のプッシュバーの第２のフック部と操作ロータとの係合が解除され、正のプッシュバーあるいは誤のプッシュバーは押し込まれる前の施錠された状態に戻り、使用者は再び正しい解錠番号を押して解錠することができる。
【００１０】
このように、使用者が扉を解錠するために間違った解錠番号を押すことなく正しい解錠番号（正のプッシュバー）を押し終えたとき、押し込まれた正しい解錠番号（正のプッシュバー）が元の押し込まれていない状態に復帰可能な収納ボックスの施錠装置とすることができる。
【図面の簡単な説明】
【００１１】
【図１】本発明の一実施の形態に係る収納ボックスの施錠装置の正面図である。
【図２】同収納ボックスの施錠装置の平面図である。
【図３】同収納ボックスの施錠装置の断面図である。
【図４】同収納ボックスの施錠装置を構成する部品を示す図である。
【図５】同ケーシングの正面図である。
【図６】同ケーシングのＡ−Ａ断面図である。
【図７】同後部ロータの平面図である。
【図８】同後部ロータの正面図である。
【図９】同前部ロータの平面図である。
【図１０】同前部ロータの正面図である。
【図１１】同操作ロータの平面図である。
【図１２】同操作ロータのＢ−Ｂ断面図である。
【図１３】同操作リングの正面図である。
【図１４】同操作リングのＣ−Ｃ断面図である。
【図１５】同正のプッシュバーの正面図である。
【図１６】同正のプッシュバーの底面図である。
【図１７】同誤のプッシュバーの正面図である。
【図１８】同誤のプッシュバーの底面図である。
【図１９】同収納ボックスの施錠装置の係止レバーが係止金具に係止された状態を示す断面図である。
【図２０】同収納ボックスの施錠装置の係止レバーが係止金具から外れた状態を示す断面図である。
【図２１】同収納ボックスの施錠装置が施錠されているときの各部品の位置関係を示す図である。
【図２２】同収納ボックスの施錠装置が解錠されているときの各部品の位置関係を示す図である。
【発明を実施するための形態】
【００１２】
以下、本発明の一実施の形態について図１〜図２２に基づいて説明する。なお、収納ボックスの扉側を前方といい、収納ボックスの内部側を後方というものとする。収納ボックスの施錠装置１（以下、施錠装置１という。）のケーシング２には、ケーシング２の後端部に回動可能に支持され、収納ボックス本体３の係止金具４に係合する係止レバー５と、ケーシング２の内部奥側に回動可能に収容され係止レバー５が係合可能な後部ロータ６と，後部ロータ６の前部側に係合し後部ロータ６とともに回動する前部ロータ７と、前部ロータ７の前部周縁を覆うようにケーシング２の前面に設置され前部ロータ７を駆動する操作ロータ８と、操作ロータ８の外周に設置され操作ロータ８を駆動する操作リング９とが設けられている。後部ロータ６と前部ロータ７とがロータである。
【００１３】
ケーシング２の前面を覆うカバー１０には、正のプッシュバー１１と誤のプッシュバー１２とが放射状に４つずつ設置される。正のプッシュバー１１と誤のプッシュバー１２とは、頭部に嵌め込まれたプッシュボタン１３がカバー１０の貫通孔１４に挿通された状態で、後部がスペーサ１５に嵌め込まれる。正のプッシュバー１１と誤のプッシュバー１２とが嵌め込まれたカバー１０はケーシング２の前面側にねじ止めされる。
【００１４】
ケーシング２は、開口部に鍔部２１を備えた円筒形に樹脂成型され、ケーシング２の後端部には、軸心と平行な溝部２２が形成されている。係止レバー５は金属板を用いて平板状に形成されており、平行ピン２３によってケーシング２の後端部に回動可能に支持される。係止レバー５の一端部側には、収納ボックス本体３の係止金具４に係合する係合部２４が形成されており、他端部２５がケーシング２の溝部２２に収容される。ケーシング２の内部底面に形成された孔部２６には圧縮コイルばね２７が収容されており、係止レバー５は他端部２５に形成された凸部２８が圧縮コイルばね２７に係合して、係止レバー５の他端部２５は後部ロータ６側にばね付勢されている。
【００１５】
後部ロータ６は内部にリブ２９が設けられた円筒形に樹脂成型される。後部ロータ６の後面側には半径方向に溝部３０が形成されており、溝部３０には係止レバー５の他端部２５が嵌合可能である。後部ロータ６の前面周縁部には、凹部３１が等間隔に４箇所形成されており、この凹部３１に前部ロータ７が嵌合される。なお、後部ロータ６の軸心上にはピン３２が取り付けられており、ピンセットなどでピン３２を掴んで容易に後部ロータ６の取り付け取り外しが可能である。
【００１６】
前部ロータ７は円筒形に樹脂成型される。前部ロータ７の後面側周縁部には凸部３６が等間隔に４箇所形成されており、この凸部３６が後部ロータ６の凹部３１に嵌合して、前部ロータ７は後部ロータ６と一体となって回転する。前部ロータ７は外径Ｄ１＝１８ｍｍ，内径Ｄ２＝１５ｍｍとされ、後部ロータ６の外径，内径に一致しており、前面外周には半径方向に突出した突出部３７が形成される。図９に示すように、凸部３６の位置Ａ１からθ１＝２２．５°右回転した位置をＡ２とし、Ａ２からさらにθ２＝７．５°右回転した位置をＡ３とすると、突出部３７は、θ２の両側が夫々ｔ１＝０．７５ｍｍだけ広げられた幅を有している。
【００１７】
前部ロータ７の前部外周であって突出部３７の両側には鍔部３８，３９が形成される。一方の鍔部３８は、突出部３７から見て右回転方向にＡ２からθ３＝１１２．５°の範囲に形成される。他方の鍔部３９は、突出部３７から見て左回転方向に、Ａ２からθ４＝１２５°の範囲に形成される。前部ロータ７の前部内周には先細な爪部４０が等間隔に８つ形成されており、８つのうちの１つの爪部４０はＡ１に対向するＡ４の位置から左回転方向にＬ１＝１ｍｍ移動した位置を基準にｔ２＝１ｍｍの幅で形成されている。軸心から爪部４０を見て爪部の右側に位置する側面４１は半径方向に形成され、軸心から見て爪部４０の左側に位置する側面４２は傾斜面とされている。
【００１８】
操作ロータ８は円筒形に樹脂成型される。操作ロータ８は外径Ｄ３＝２７ｍｍ，内径Ｄ４＝２４ｍｍとされ、操作ロータ８の前部外周面には、半径方向に腕部４６が等間隔に４箇所形成される。操作ロータ８の内周面後部には、半径方向に突出した突出部４７が形成される。突出部４７は腕部４６の当接面４８の位置Ｂ１から左回転方向にｔ３＝２．５ｍｍの幅で形成される。
【００１９】
内周面後部には、さらに鍔部４９と５０とが形成される。鍔部４９は腕部４６の当接面Ｂ２の位置からθ５＝２２．５°右回転した位置Ｂ３を基準として、Ｂ３からθ６＝９０°左方向に回転したＢ４の位置からｔ４＝０．７５ｍｍだけ右回転方向に戻った位置Ｂ５までの範囲に形成される。鍔部５０は腕部４６の当接面Ｂ６の位置からθ７＝２２．５°だけ右回転した位置Ｂ７を基準として、Ｂ７からθ８＝９０°右回転したＢ８の位置に進みＢ８の位置からさらにｔ５＝１．１ｍｍだけ右回転方向に進んだ位置Ｂ９の範囲に形成される。操作ロータ８は、鍔部４９と５０とが前部ロータ７の鍔部３８と３９とを覆うように設置される。さらに、Ｂ７の位置にある鍔部５０の端部には圧縮コイルばね５１の一端部を係止する凸状の係止部５５が形成される。
【００２０】
操作ロータ８の前部内周面には、正のプッシュバー１１のフック部５２あるいは誤のプッシュバー１２のフック部５３が係止される鉤状の係止部５４が設けられる。フック部５２，５３については後述する。係止部５４は、Ｂ４の位置を含んで等間隔に８箇所形成される。
【００２１】
操作リング９は円筒形に樹脂成型される。操作リング９の内周面には、半径方向に腕部５７が等間隔に４箇所形成されており、操作リング９は腕部５７の当接面５８が操作ロータ８の腕部４６の当接面４８に当接して、操作ロータ８とともに回転可能である。
【００２２】
正のプッシュバー１１と誤のプッシュバー１２との２種類のプッシュバーが樹脂成型され、各々４つずつ設けられる。正のプッシュバー１１と誤のプッシュバー１２との前部には各々凸部５９と凸部６０とが形成されており、凸部５９，６０には各々１〜８の数字が表示されたプッシュボタン１３が装着される。本実施の形態のおいては解錠番号が「１３５７」に設定されているので、４つの正のプッシュバー１１の凸部５９には、各々１，３，５，７の数字が表示されたプッシュボタン１３が装着され、４つの誤のプッシュバー１２の凸部６０には、各々２，４，６，８の数字が表示されたプッシュボタン１３が装着される。
【００２３】
正のプッシュバー１１の後側には、使用者が正のプッシュバー１１を押し込んだとき、正のプッシュバー１１が押し込まれた状態で操作ロータ８の係止部５４に係止されるフック部５２が形成される。フック部５２の近傍にはプッシュボタン１３を前方に付勢する圧縮コイルばね６１が装着されるばね装着部６２が形成される。
【００２４】
ばね装着部６２の近傍には凸部６３が形成されている。凸部６３の側面には、正のプッシュバー１１が押し込まれていない状態で前部ロータ７の爪部４０の側面４１が当接する半径方向の当接面６４と、爪部４０の側面４２が当接する傾斜した端面６５とが形成されている。凸部６３には中空部６６が形成されており、端面６５に前部ロータ７の爪部４０の側面４２が当接すると、凸部６３は爪部４０の側面４２から逃げるように半径方向に弾性変形するので、前部ロータ７の爪部４０は凸部６３を乗り越え可能である。さらに、凸部６３前方には、正のプッシュバー１１が押し込まれたとき前部ロータ７の爪部４０と凸部６３との当接を解除する幅狭な凹部６７が形成されている。
【００２５】
誤のプッシュバー１２の後側には、使用者が誤のプッシュバー１２を押したとき、誤のプッシュバー１２を押し込まれた状態で操作ロータ８の係止部５４に係止するフック部５３が形成される。フック部５３の近傍にはプッシュボタン１３を前方に付勢する圧縮コイルばね６１が装着されるばね装着部７０が形成される。
【００２６】
ばね装着部７０の近傍には凸部７１が形成されている。凸部７１の側面には、誤のプッシュバー１２が押し込まれた状態で、前部ロータ７の爪部４０の側面４１が当接する半径方向の当接面７２が形成されている。凸部７１の後方には、誤のプッシュバー１２が押し込まれていないとき前部ロータ７の爪部４０と凸部７１との当接を解除する幅狭な凹部７３が形成されている。
【００２７】
ここで解錠番号が「１３５７」に設定されている場合の施錠装置１の動作について説明する。なお、プッシュボタン１３に１，３，５，７が表示された正のプッシュバー１１を夫々１１（１），１１（３），１１（５），１１（７）とし、プッシュボタン１３に２，４，６，８が表示された誤のプッシュバー１２を夫々１２（２），１２（４），１２（６），１２（８）とする。
【００２８】
施錠装置１の係止レバー５が収納ボックス本体３の係止金具４に係合して施錠されているときの各部品の位置関係を図２１に示す。この状態では、圧縮コイルばね５１のばね力によって左回転方向に付勢された操作ロータ８の突出部４７が前部ロータ７の突出部３７に当接して、前部ロータ７の爪部４０側面４１が４つの正のプッシュバー１１（１），１１（３），１１（５），１１（７）の各々の当接面６４に押し付けられている。後部ロータ６の溝部３０は、係止レバー５の位置から左回転方向に２２．５°傾いており、係止レバー５は溝部３０に係合していない。
【００２９】
なお、このとき誤のプッシュバー１２（２），１２（４），１２（６），１２（８）は、凸部７１下部の凹部７３が前部ロータ７の爪部４０に対向しており、前部ロータ７の爪部４０に当接していない。前部ロータ７は、４つの爪部４０が正のプッシュバー１１（１），１１（３），１１（５），１１（７）に当接している。操作ロータ８の８つの係止部５４は、正のプッシュバー１１（１），１１（３），１１（５），１１（７）と誤のプッシュバー１２（２），１２（４），１２（６），１２（８）とのフック部５２，５３に対向しており、この状態で正のプッシュバー１１（１），１１（３），１１（５），１１（７）および誤のプッシュバー１２（２），１２（４），１２（６），１２（８）は、操作ロータ８の係止部５４に係止可能である。
【００３０】
使用者が解錠するために、圧縮コイルばね６１のばね力に抗して正のプッシュバー１１（１），１１（３），１１（５），１１（７）を押し込み、フック部５２を操作ロータ８の係止部５４に係止させると、前部ロータ７の爪部４０側面４１に当接していた正のプッシュバー１１（１），１１（３），１１（５），１１（７）の当接面６４は後方に移動して爪部４０側面４１に当接しなくなり、前部ロータ７の爪部４０には幅狭な凹部６７が対向するようになる。
【００３１】
４つのすべての正のプッシュバー１１（１），１１（３），１１（５），１１（７）を押し込んでフック部５２を操作ロータ８の係止部５４に係止させると、前部ロータ７は４つのすべての正のプッシュバー１１（１），１１（３），１１（５），１１（７）と当接しなくなり、操作ロータ８は圧縮コイルばね５１のばね力によって右回転を開始する。このとき操作リング９は、腕部５７が操作ロータ８の腕部４６に押されて操作ロータ８とともに右回転する。
【００３２】
操作ロータ８は鍔部５０の端面がケーシング２のストッパー７６に当接するまで２２．５°右回転し、４つの正のプッシュバー１１（１），１１（３），１１（５），１１（７）のフック部５２が操作ロータ８の係止部５４から外れる。操作ロータ８の係止部５４から外れた４つの正のプッシュバー１１（１），１１（３），１１（５），１１（７）は圧縮コイルばね６１のばね力によって押し上げられて押し込まれる前の状態に戻る。
【００３３】
このとき前部ロータ７は突出部３７が操作ロータ８の突出部４７に押されて右回転する。後部ロータ６が前部ロータ７と一体となって右回転し、後部ロータ６の溝部３０が係止レバー５を収容可能な位置となる。係止レバー５の他端部２５が後部ロータ６の溝部３０に収容され、施錠装置１は解錠状態となる。このときの各部品の位置関係を図２２に示す。
【００３４】
使用者が解錠するために、４つのすべての正のプッシュバー１１（１），１１（３），１１（５），１１（７）を押す前に、誤のプッシュバー１２（２），１２（４），１２（６），１２（８）のうち１つでも押した場合には、誤のプッシュバー１２の幅広な凸部７１が前部ロータ７の爪部４０側面４１に当接するようになり、操作ロータ８、前部ロータ７、後部ロータ６は回転することができず、係止レバー５の他端部２５を後部ロータ６の溝部３０に収容して施錠装置１を解除することができなくなる。この状態から施錠装置１を正のプッシュバー１１（１），１１（３），１１（５），１１（７）あるいは誤のプッシュバー１２（２），１２（４），１２（６），１２（８）が押し込まれる前の施錠された状態に戻す動作については後述する。
【００３５】
このように、使用者が４つのすべての正のプッシュバー１１（１），１１（３），１１（５），１１（７）を押す前に誤のプッシュバー１２（２），１２（４），１２（６），１２（８）を１つ以上押していない場合には、４つ目の正のプッシュバー１１（１），１１（３），１１（５），１１（７）を押し終わったときに、押し込まれた４つの正のプッシュバー１１（１），１１（３），１１（５），１１（７）が押し込まれる前の状態に戻り、施錠装置１は解錠状態となる。
【００３６】
次に、解錠された施錠装置１を施錠する手順について説明する。使用者が収納ボックスの扉７７を開けた後に再び閉じると、係止レバー５の一端部側係合部２４が収納ボックス本体３の係止金具５に係合し、係止レバー５の他端部２５が後部ロータ６の溝部３０から抜け出て、後部ロータ６と前部ロータ７とは回転可能な状態となる。
【００３７】
使用者が操作リング９の外周部７８を持って、圧縮コイルばね５１のばね力に抗して左回転させると、操作リング９に押されて操作ロータ８が左回転する。操作ロータ８は、突出部４７がケーシング２のストッパー７６に当接するまで左回転可能である。このとき前部ロータ７は突出部３７が操作ロータ８の鍔部４９に押されて操作ロータ８とともに左回転する。そして、前部ロータ７の爪部４０の傾斜面である側面４２が、正のプッシュバー１１（１），１１（３），１１（５），１１（７）の傾斜面である凸部６３端面６５に当接する。前部ロータ７の爪部４０に押圧された正のプッシュバー１１（１），１１（３），１１（５），１１（７）の凸部６３は、爪部４０から逃げるように半径方向内側に弾性変形して、前部ロータ７の爪部４０は正のプッシュバー１１（１），１１（３），１１（５），１１（７）を左回転方向に乗り越える。このとき後部ロータ６は前部ロータ７と一体となって左回転する。
【００３８】
操作ロータ８の突出部４７がケーシング２のストッパー７６に当接した状態で、使用者が操作リング９から手を放すと、圧縮コイルばね５１のばね力によって、操作リング９，操作ロータ８，前部ロータ７，後部ロータ６は、前部ロータ７の爪部４０側面４１が、乗り越えた正のプッシュバー１１（１），１１（３），１１（５），１１（７）の凸部６３の当接面６４に当接する位置まで右回転する。後部ロータ６の溝部３０は、係止レバー５が係合可能な位置から係合不可の位置に移動する。操作ロータ８の係止部５４は、正のプッシュバー１１（１），１１（３），１１（５），１１（７）および誤のプッシュバー１２（２），１２（４），１２（６），１２（８）のフック部５２，５３が係止可能な位置に戻り、図２１に示す施錠された状態に再び戻る。
【００３９】
４つのすべての正のプッシュバー１１（１），１１（３），１１（５），１１（７）を押す前に誤のプッシュバー１２（２），１２（４），１２（６），１２（８）が１つ以上押されて解錠不可の状態にある場合には、使用者は操作リング９の外周部７８を持って、操作ロータ８の突出部４７がケーシング２のストッパー７６に当接するまで左回転させる。突出部４７がストッパー７６に当接するまで操作ロータ８が左回転すると、押し込まれている正のプッシュバー１１や誤のプッシュバー１２は、フック部５２，５３が操作ロータ８の係止部５４から外れて押し込まれていない元の状態に戻る。使用者が操作リング８から手を放すと、操作ロータ８が右回転し、前部ロータ７の爪部４０の側面４１が４つの正のプッシュバー１１（１），１１（３），１１（５），１１（７）の各々の当接面６４に当接して元の施錠状態に戻る。使用者は改めて４つの正のプッシュバー１１（１），１１（３），１１（５），１１（７）を押し込むことによって解錠することができる。
【００４０】
このように、収納ボックスの扉７７に取り付けられるケーシング２と、ケーシング２に回動可能に支持され収納ボックス本体３の係止金具４に一端部が係止される係止レバー５と、ケーシング２の内部に回転可能に収容され解錠された状態で係止レバー５の他端部２５が係合可能な被係合部である溝部３０を備えたロータである後部ロータ６と、前部ロータ７の前部に回転可能に設置され前部ロータ７を駆動する操作ロータ８と、操作ロータ８の外周に回転可能に設置され操作ロータ８を駆動する操作リング９と、使用者が押し込んだとき操作ロータ８に係合可能な第１のフック部であるフック部５２と、使用者が押し込んでいない状態で一方側である右回転方向に駆動された前部ロータ７の爪部４０が当接可能な第１の凸部である凸部６３とを備えた正のプッシュバー１１（１），１１（３），１１（５），１１（７）と、使用者が押し込んだとき操作ロータ８に係合可能な第２のフック部であるフック部５３と、使用者が押し込んだとき一方側である右回転方向に駆動された前部ロータ７の爪部４０が当接可能な第２の凸部である凸部７１とを備えた誤のプッシュバー１２（２），１２（４），１２（６），１２（８）とを備え、操作ロータ８に係合しているフック部５２とフック部５３とは操作ロータ８を回転させて係合を解除させることが可能であり、凸部６３は弾性を有しており他方側である左回転方向に駆動された前部ロータ７の爪部４０は乗り越え可能である。
【００４１】
正のプッシュバー１１が押し込まれると前部ロータ７の爪部４０が正のプッシュバー１１の凸部６３に当接しなくなり、誤のプッシュバー１２が押し込まれると押し込まれた誤のプッシュバー１２の凸部７１に前部ロータ７の爪部４０が当接するようになるので、使用者が扉７７を解錠するために間違った解錠番号を押すことなくすべての正しい解錠番号「１３５７」である正のプッシュバー１１（１），１１（３），１１（５），１１（７）を押し終えたとき、操作ロータ８に駆動された前部ロータ７は右回転方向に回転し、被係合部である溝部３０に係止レバー５の他端部２５が係合して解錠可能な状態となる。このとき前部ロータ７を駆動する操作ロータ８は、前部ロータ７とともに右回転方向に回転し、正のプッシュバー１１のフック部５２と操作ロータ８との係合が解除され、押し込まれた正しい解錠番号である正のプッシュバー１１（１），１１（３），１１（５），１１（７）は元の押し込まれていない状態に復帰可能である。
【００４２】
使用者が収納ボックスの扉７７を閉めて、収納ボックス本体３の係止金具４に係止レバー５の一端部が係止されると、係止レバー５の他端部２５が後部ロータ６の溝部３０から抜け出る。この状態で操作リング９を他方側である左回転方向に回転させて操作ロータ８と前部ロータ７とを駆動すると、前部ロータ７の爪部４０が弾性を有している凸部６３を乗り越え、施錠された元の状態に戻る。
【００４３】
使用者が扉７７を解錠するときすべての正のプッシュバー１１（１），１１（３），１１（５），１１（７）を押し終える前に、間違って誤のプッシュバー１２（２），１２（４），１２（６），１２（８）のうちの１つ以上を押した場合には、使用者は操作リング９を他方側である左回転方向に回転させる。操作リング９によって操作ロータ８が左回転方向に駆動されると、正のプッシュバー１１のフック部５２あるいは誤のプッシュバー１２のフック部５３と操作ロータ８との係合が解除され、正のプッシュバー１１あるいは誤のプッシュバー１２は押し込まれる前の施錠された状態に戻り、使用者は再び正しい解錠番号「１３５７」を押して解錠することができる。
【００４４】
使用者が扉７７を解錠するために間違った解錠番号を押すことなく正しい解錠番号「１３５７」の正のプッシュバー１１（１），１１（３），１１（５），１１（７）を押し終えたとき、押し込まれた正しい解錠番号「１３５７」の正のプッシュバー１１（１），１１（３），１１（５），１１（７）が元の押し込まれていない状態に復帰可能な収納ボックスの施錠装置１とすることができる。
【符号の説明】
【００４５】
１    収納ボックスの施錠装置
２    ケーシング
３    収納ボックス本体
４    係止金具
５    係止レバー
６    後部ロータ
７    前部ロータ
８    操作ロータ
９    操作リング
１０    カバー
１１    正のプッシュバー
１２    誤のプッシュバー
１３    プッシュボタン
１４    貫通孔
１５    スペーサ
２１，３８，３９，４９，５０    鍔部
２２，３０    溝部
２３    平行ピン
２４    係合部
２５    他端部
２６    孔部
２７，５１，６１    圧縮コイルばね
２８，３６，５９，６０，６３，７１    凸部
２９    リブ
３１，６７，７３    凹部
３２    ピン
３７    突出部
４０    爪部
４１，４２    側面
４６，５７    腕部
４７    突出部
４８，５８，６４，７２      当接面
５２，５３    フック部
５４    係止部
６２    ばね装着部
６５    端面
６６    中空部
７０    ばね装着部
７６    ストッパー
７７    扉
７８    外周部
【図１】
2014114614.tif 000003
【図２】
2014114614.tif 000004
【図３】
2014114614.tif 000005
【図４】
2014114614.tif 000006
【図５】
2014114614.tif 000007
【図６】
2014114614.tif 000008
【図７】
2014114614.tif 000009
【図８】
2014114614.tif 000010
【図９】
2014114614.tif 000011
【図１０】
2014114614.tif 000012
【図１１】
2014114614.tif 000013
【図１２】
2014114614.tif 000014
【図１３】
2014114614.tif 000015
【図１４】
2014114614.tif 000016
【図１５】
2014114614.tif 000017
【図１６】
2014114614.tif 000018
【図１７】
2014114614.tif 000019
【図１８】
2014114614.tif 000020
【図１９】
2014114614.tif 000021
【図２０】
2014114614.tif 000022
【図２１】
2014114614.tif 000023
【図２２】
2014114614.tif 000024